(57)【特許請求の範囲】
【請求項１】
ディスプレイ、ユーザ入力装置および前記ディスプレイとユーザ入力装置間の通信をなすコントロールユニットにて構成され、前記ユーザ入力装置は複数のキーと複数の異なるカラーでキーを照明する光源を有し、前記コントロールユニットは前記ディスプレイ上にイメージを生じさせ、そのディスプレイは複数の異なるカラー化したアイコンを有し、前記複数のアイコンの各々は、コントロールユニットにより遂行される機能をシンボル化し、前記コントロールユニットはディスプレイ上のイメージ内のアイコンのカラーに対応するカラーでユーザ入力装置内の複数のキーを照明する光源を起動するためにユーザ入力装置にコントロール信号を生成し、前記コントロールユニットは、特定のアイコンのカラーに相当するカラーを有する複数のキーからあるキーをユーザが起動させたときに前記複数の異なるカラー化したアイコンから特定のアイコンに対応するコントロール機能を遂行し、
前記コントロールユニットは、ユーザが前記ユーザ入力装置上の前記複数の照明されたキーの一つを起動するとき、第二のイメージを前記ディスプレイ上に生成し、前記ディスプレイは複数の異なるカラー化したアイコンを有し、少なくとも幾つかの前記アイコンはディスプレイ上に表示された前のイメージにおける機能とは異なる、前記コントロールユニットにて遂行される機能をシンボル化する、監視システム用ワークステーション。
【請求項２】
前記コントロールユニットは、ユーザが前記ユーザ入力装置内の複数のキーを照明する光源を起動するために、前記ディスプレイ上イメージ内の前記アイコンのカラーと同一カラーオーダーで前記ユーザ入力装置にコントロール信号を生成する請求項１記載のワークステーション。
【請求項３】
光源は発光ダイオードからなる請求項１記載のワークステーション。
【請求項４】
発光ダイオードは赤、青、緑にて成る請求項３記載のワークステーション。
【請求項５】
ディスプレイ、ユーザ入力装置および前記ディスプレイとユーザ入力装置間の通信をなすコントロールユニットにて構成され、前記ユーザ入力装置は複数のキーと複数の異なるカラーでキーを照明する光源を有し、前記コントロールユニットは前記ディスプレイ上にイメージを生じさせ、そのディスプレイは複数の異なるカラー化したアイコンを有し、前記複数のアイコンの各々は、コントロールユニットにより遂行される機能をシンボル化し、前記コントロールユニットはディスプレイ上のイメージ内のアイコンのカラーに対応するカラーでユーザ入力装置内の複数のキーを照明する光源を起動するためにユーザ入力装置にコントロール信号を生成し、前記コントロールユニットは、特定のアイコンのカラーに相当するカラーを有する複数のキーからあるキーをユーザが起動させたときに前記複数の異なるカラー化したアイコンから特定のアイコンに対応するコントロール機能を遂行し、
前記コントロールユニットは、ユーザが前記ディスプレイ上前記イメージ内の前記カラー化したアイコンの一つを起動するとき、第二のイメージを前記ディスプレイ上に生成し、前記ディスプレイは複数の異なるカラー化したアイコンを有し、少なくとも幾つかの前記アイコンはディスプレイ上に表示された前のイメージにおける機能とは異なる、前記コントロールユニットにて遂行される機能をシンボル化する、監視システム用ワークステーション。
【請求項６】
光源は発光ダイオードからなる請求項５記載のワークステーション。
【請求項７】
発光ダイオードは赤、青、緑にて成る請求項６記載のワークステーション。
【請求項８】
前記コントロールユニットは、ユーザが前記ユーザ入力装置内の前記複数のキーを照明する光源を起動するために、前記ディスプレイ上前記イメージ内の前記アイコンのカラーと同じカラーオーダーで前記ユーザ入力装置にコントロール信号を生成する請求項５記載のワークステーション。
【請求項９】
ディスプレイと、ユーザ入力装置および前記ディスプレイと前記ユーザ入力装置間の通信をなすコントロールユニットとから構成され、前記ユーザ入力装置は複数のキーとそのキーを照明する光源を有し、前記コントロールユニットは前記ディスプレイ上にイメージを生成させ、前記ディスプレイは複数の異なるアイコンを有し、前記複数のアイコンの各々は、前記コントロールユニットにより遂行される機能をシンボル化し、さらに前記コントロールユニットはアラーム状態が起こったときコントロール信号を生成し、スクリーンの明滅でアラーム状態を表すアイコンが起動し、およびユーザ入力装置内の光源を起動さる信号を生成し、アラーム状態を解除するためにユーザ入力を要求するキーの照明を明滅させる監視システム用ワークステーション。
【請求項１０】
コントロールユニットは、ディスプレイ上に異なるカラーで前記アイコンを表示するコントロール信号を生成し、前記コントロールユニットは明滅アイコンのカラーに対応するカラーで前記明滅アイコンに対応するキーを照明する光源を起動するコントール信号を生成するようにした請求項９記載のワークステーション。
【発明の詳細な説明】
【技術分野】
【０００１】
発明の背景
この発明は監視システムに関し、特に監視システムに使用するワークステーションに関する。ここに使用される監視システムは、ビル管理、警備システムを含むものである。
【０００２】
従来の監視システムワークステーションは、コントローラのキーボードの幅広いファンクションキーの記憶をユーザに要求し、確実に望まれる機能を操作する事はユーザにとっては扱いが難しいものであった。さらに、これらのキーは特殊な機能を有しており、それはデイスプレイの変更をユーザインターフェイスとして変更ができず、そのため機能付加の可能性が遂行できないものである。さらに、従来のシステムは、モニタに現れるユーザインターフェイスに対しユーザ入力装置で得られるべき操作に関連したユーザ手順を提供しないからである。したがって、これらは監視システムで使用するための改善されたワークステーションが必要とされており、それはユーザへのよりゆったりした使用感が備えられたものである。
【０００３】
発明の概要
この発明によれば、それはディスプレイ、ユーザ入力装置そしてディスプレイとユーザ入力装置間の通信をなすコントロールユニットにて構成する監視システム用ワークステーションを提供するものである。ユーザ入力装置は、複数のキーと複数のカラーにてそのキーを照明する光源を有している。コントロールユニットはディスプレイ上にイメージを生成させるもので、そのディスプレイは複数の異なるカラー化アイコンを有し、当該複数のアイコンの各々は、コントロールユニットで遂行される機能をシンボル化する。コントロールユニットは、ユーザ入力装置にコントロール信号を生成するもので、それはディスプレイ上のイメージ内のアイコンカラーに対応するカラーでユーザ入力装置内の複数のキーの光源を点灯させる信号である。コントロールユニットは、異なるカラーにした複数のアイコンから特定のアイコンに対応するコントロール機能を成すもので、それはユーザが特定のアイコンのカラーに相当するカラーを有した特定のキーによるキーを起動したときである。
【０００４】
この発明によれば、それはディスプレイ、ユーザ入力装置そしてディスプレイとユーザ入力装置間の通信をなすコントロールユニットにて構成する監視システム用ワークステーションをさらに提供するものである。ユーザ入力装置は複数のキーとキーを照明する光源を有している。コントロールユニットはディスプレイ上にイメージを生成させ、そのディスプレイはコントロールユニットにより遂行される機能をシンボル化した複数の異なったアイコンを有している。コントロールユニットはアラーム状態が起こっているときにコントロール信号を生成し、スクリーンの明滅でアラーム状態のアイコン表示を起動させ、かつユーザ入力装置内の光源を起動させる信号を生成し、アラーム状態を解除するためにユーザ入力が要求されるキー内照明を明滅させる。
【０００５】
この発明の他の優位性および応用は、発明の好ましい態様についてした詳細な説明にて明らかになる。
【０００６】
この発明のより完全な理解と付随した優位性および特徴は、次の詳細な説明、添付の図面を参照することでより容易に理解される。
【０００７】
発明の詳細な説明
図１について説明すると、警備システム１０はこの発明によるユーザワークステーション１２を付加して示してある。ユーザワークステーション１２は、入力装置１４を備え、コントロールユニット１６およびディスプレイ１８がネットワーク２０にて接続されている。それは、近接ネットワーク、ローカルエリアネットワークあるいはインターネットのような広域ネットワークである。ユーザ入力装置１４とディスプレイ１８は近接して位置しており、そうすることでユーザがユーザ入力装置１４を操作する間、ディスプレイ１８のイメージを見ることができるようになっている。一方、マイクロプロセッサー、メモリーおよびプログラムインストラクションを備えたコントロールユニット１６は、監視システム１０内のいずれかに位置させることができる。コントロールユニット１６と組合せたユーザ入力装置１４からの入力は、カメラ２２、２４およびビデオストレージ２６の動作を既に知られた技術にてコントロールする。
【０００８】
図２において、ディスプレイ１８はイメージ２０にて示され、それはビデオデータ２２および長方形や特殊な形のアイコン２４、２６そして２８を含んでいる。アイコン２４、２６そして２８は、イメージ２０内に異なる機能をシンボル化した異なるカラーをもってコントロールユニット１６にて表示され、それは例えばカメラの選択である。イメージ２０はまたポインタ３０を有し、それはアイコン２４、２６そして２８の選択、動作のためにジョイステイック、マウスあるいはキーパッドにて動かすことができる。
【０００９】
ユーザ入力装置14は、図３、図４にその詳細が示してある。ユーザ入力装置14はキー32、34そして36を有し、それは透明なアクリルあるいは他の適切な素材にて形成してある。赤、グリーンそしてブルーの発光ダイオードのような光源40は、各キー32、34および36の下に位置し、そうすることでコントロールユニット16は、適切なカラーで適切なキーを点灯するユーザ入力装置14にコントロール信号を供給でき、各キー32、34および36のカラーがアイコン24、26そして28のカラーに夫々対応するものとなる。図４は光源がキー32の下にどのように位置しているかの概要を示したもので、光源40がコントロールユニット16からのコントロール信号で起動されているときに適切な発光ダイオードまたはダイオードが起動され、そうすることでキー32はアイコン24のカラーに対応する適切なカラーになる。キー32、34および36のカラーは、アイコン24、26そして28と上記のように同一オーダでも異なっていても良い。ユーザ入力装置14は、さらに既に知られているような技術で幅広いコントロール機能を果たすジョイステイック38を有している。
【００１０】
キー３２、３４および３６が起動すると、アイコン２４、２６そして２８で示された対応の機能が働き、図５に示すようにディスプレイ１８に新しいイメージ４２が現れる。イメージ４２はビデオデータ２２内に留まるが、新しいアイコン４４、４６および４８はユーザに新しい機能を提供するための表示がされる。図５では三つの新しいアイコンが示されているが、総てのアイコンの変化は必ずしも必要ではない。それは、コントロールユニット１６が、押圧されたキーで実施される機能を基に表示される適切なイメージを表すためのコントロール信号を提供するからである。
【００１１】
コントロールユニット16はコントロール信号を生成するが、それはアラーム状態が、スクリーン上の明滅でアラーム状態を表すアイコンに生じたときである。さらに、コントロールユニット16は適正なキー内の光源40に明滅を起こさせる信号を生成し、それはユーザがアラーム状態から開放するために押圧が必要なキーに相当するキーである。したがって、ユーザ入力装置14の適正なキーは、それが明滅するのでユーザは速やかに認識できる。さらに、コントロールユニット16は、スクリーン上の明滅アイコンのカラーに相当するカラーにて明滅キーを照明できる。
【００１２】
この発明の改変および修正は、発明の範囲から逸脱することなく達成できることが理解される。さらに、発明の範囲は、ここに開示した詳細な態様に制限されるように解釈されるものではなく、また先の開示を考慮して理解される特許請求の範囲によってのみ解釈されるということが理解される。
【００１３】
この発明は、先に特に示されかつ述べられてきたことに制限されないということが当業者によって理解されるであろう。加えて、特別な記載がない限り、添付の図面は一定の比率ではないことに注意すべきである。多様な修正、改変はこの発明の概念、範囲を逸脱することなく上記の教示を考慮して可能であり、以下の特許請求の範囲によってのみ制限されるものである。
【図面の簡単な説明】
【００１４】
【図１】この発明のよるワークステーションのブロック図
【図２】この発明によるワークステーションのスクリーンディスプレイのブロック図
【図３】この発明によるワークステーションのユーザ入力装置のブロック図
【図４】図３に示すユーザ入力装置の部分断面ブロック図
【図５】この発明によるワークステーションのスクリーンディスプレイのブロック図
【符号の説明】
【００１５】
１０：監視システム
１２：ユーザワークステーション
１４：入力装置
１６：コントロールユニット
１８：ディスプレイ
２０：ネットワーク
３０：ポインタ
４０：光源
【図１】
0004612679.tif 000002
【図２】
0004612679.tif 000003
【図３】
0004612679.tif 000004
【図４】
0004612679.tif 000005
【図５】
0004612679.tif 000006